(57)【特許請求の範囲】
【請求項１】
筒状に形成されたヘッドケース部内に、収音軸が水平方向となるように配置され、その前後に音響端子を有するマイクロホンユニットと、前記マイクロホンユニットに電気的に接続された電子回路基板とを具備するコンデンサマイクロホンであって、
前記ヘッドケース部内であって、且つ前記マイクロホンユニットの下方に設けられ、前記電子回路基板を覆う第１のリフレクタ部材と、
前記第１のリフレクタ部材と同形状に形成され、前記ヘッドケース部内であって、且つ前記マイクロホンユニットの上方に設けられた第２のリフレクタ部材とを備え、
前記第１のリフレクタ部材と前記第２のリフレクタ部材とは、前記マイクロホンユニットを挟んで対称配置されていることを特徴とするコンデンサマイクロホン。
【請求項２】
前記第１のリフレクタ部材と第２のリフレクタ部材とは、ドーム状に形成され、その凸曲面が前記マイクロホンユニット側に向けられていることを特徴とする請求項１に記載されたコンデンサマイクロホン。
【請求項３】
前記第１のリフレクタ部材と第２のリフレクタ部材とは、円錐状に形成され、その円錐凸面が前記マイクロホンユニット側に向けられていることを特徴とする請求項１に記載されたコンデンサマイクロホン。
【発明の詳細な説明】
【技術分野】
【０００１】
本発明は、コンデンサマイクロホンに関し、特にサイドエントリー型のコンデンサマイクロホンにおいて、音源の周波数による指向軸の変動を防止するコンデンサマイクロホンに関する。
【背景技術】
【０００２】
一般にスタジオ内で使用されるサイドエントリー型コンデンサマイクロホンは、図３、図４に示すようにヘッドケース部１１と、前記ヘッドケース部１１を支持する胴部１２と、胴部１２の下端側に装着されるコネクタ部１３とを備える。尚、図３は、従来のサイドエントリー型のコンデンサマイクロホン５０を正面から見た断面図であり、図４は、側方から見た断面図である。
【０００３】
ヘッドケース部１１は、真鍮などからなる金属の枠体１５に、金属の網体（ガードネット）１６が支持されてヘッドケース部１１の略全体を覆っている。
また、網体１６に覆われた内部空間には、コンデンサマイクロホンユニット１７が配置されている。このマイクロホンユニット１７は、図３に示すようにヘッドケース部１１内の左右両側において上下に延びるステー１８に支持され、その収音軸が水平方向に向くように配置されている。
【０００４】
また、胴部１２も真鍮などの金属材により筒状に形成され、その内部には回路基板１９がステー１８により支持され配置されている。この回路基板１９には、インピーダンス変換器を含む音声出力回路や成極電圧発生回路などの電子回路が実装されている。
また、コネクタ部１３も真鍮などの金属材により形成された円筒部内に出力コネクタ２１が配置されて構成されている。尚、通常、出力コネクタ２１には平衡シールドケーブルを介してファントム電源と接続される３ピンタイプが用いられる。
【０００５】
このようなサイドエントリー型コンデンサマイクロホン５０は、マイクロホンユニット１７と回路基板１９、及び回路基板１９と出力コネクタ２１とがそれぞれ図示しない配線材により電気的に接続され、それらを収容するヘッドケース部１１、胴部１２及びコネクタ部１３がそれぞれビス留めによって一体的に連結され構成される。
【０００６】
尚、このようなサイドエントリー型コンデンサマイクロホンの構成については、特許文献１に開示されている。
【先行技術文献】
【特許文献】
【０００７】
【特許文献１】特開２００７−０５３５２２号公報
【発明の概要】
【発明が解決しようとする課題】
【０００８】
ところで、前記サイドエントリー型コンデンサマイクロホン５０にあっては、図示するように回路基板１９を覆うと共に、マイクロホンユニット１７の収容空間を出来るだけ小さくするようにケース部材（リフレクタ部材２０と称呼する）が設けられている。
このリフレクタ部材２０は、特定の周波数で入力される音波の大きさに凹凸が生じないように、円形ドーム状（円錐状でもよい）に形成されることが望ましい。
【０００９】
しかしながら、前記リフレクタ部材２０を設けると、それがマイクロホンユニット１７と近接した状態となるため、マイクロホンユニット１７の前後音響端子の位置が収音軸に対してリフレクタ部材２０とは反対側、即ち上方に移動し、それにより垂直面内の指向軸が上方にシフトするという課題があった（図４の矢印参照）。
この課題は、図３の構造のサイドエントリー型コンデンサマイクロホンを用いて本願出願人が測定したマイクロホンの指向性を示す図５のポーラパターンからも明らかである。
【００１０】
また、前記リフレクタ部材２０は所定の寸法を有しているため、前記指向軸のシフト量は周波数に依存し、図６のグラフ（図５の指向周波数応答）に示すように低い周波数ではシフトは小さく、高い周波数ではシフトは大きくなる。
即ち、図３，図４に示す従来のサイドエントリー型コンデンサマイクロホンの構成にあっては、音源の周波数によって指向軸が変動するという課題があった。
【００１１】
本発明は、前記した点に着目してなされたものであり、サイドエントリー型のコンデンサマイクロホンにおいて、音源の周波数によって指向軸が変動することのないコンデンサマイクロホンを提供することを目的とする。
【課題を解決するための手段】
【００１２】
前記した課題を解決するために、本発明に係るコンデンサマイクロホンは、筒状に形成されたヘッドケース部内に、収音軸が水平方向となるように配置され、その前後に音響端子を有するマイクロホンユニットと、前記マイクロホンユニットに電気的に接続された電子回路基板とを具備するコンデンサマイクロホンであって、前記ヘッドケース部内であって、且つ前記マイクロホンユニットの下方に設けられ、前記電子回路基板を覆う第１のリフレクタ部材と、前記第１のリフレクタ部材と同形状に形成され、前記ヘッドケース部内であって、且つ前記マイクロホンユニットの上方に設けられた第２のリフレクタ部材とを備え、前記第１のリフレクタ部材と前記第２のリフレクタ部材とは、前記マイクロホンユニットを挟んで対称配置されていることに特徴を有する。
このように構成することにより、マイクロホンユニットの前後音響端子が上下にシフトすることがなく、それにより、音源の周波数によって指向軸が変動するという従来の課題を解決することができる。
【００１３】
尚、前記第１のリフレクタ部材と第２のリフレクタ部材とは、ドーム状に形成され、その凸曲面が前記マイクロホンユニット側に向けられていることが望ましい。
或いは、前記第１のリフレクタ部材と第２のリフレクタ部材とは、円錐状に形成され、その円錐凸面が前記マイクロホンユニット側に向けられていてもよい。
このように構成することにより、マイクロホンユニットの前方音響端子に特定の周波数で入力された音波の大きさに凹凸が生じないようにすることができる。
【発明の効果】
【００１４】
本発明によれば、サイドエントリー型のコンデンサマイクロホンにおいて、音源の周波数によって指向軸が変動することのないコンデンサマイクロホンを得ることができる。
【図面の簡単な説明】
【００１５】
【図１】図１は、本発明に係るコンデンサマイクロホンを正面から見た断面図である。
【図２】図２は、本発明に係るコンデンサマイクロホンを側面から見た断面図である。
【図３】図３は、従来のコンデンサマイクロホンを正面から見た断面図である。
【図４】図４は、従来のコンデンサマイクロホンを側面から見た断面図である。
【図５】図５は、従来のコンデンサマイクロホンの垂直面内の指向性を示すポーラパターンである。
【図６】図６は、従来のコンデンサマイクロホンの指向周波数応答を示すグラフである。
【発明を実施するための形態】
【００１６】
以下、本発明の実施の形態を図面に基づき説明する。図１は本発明に係るコンデンサマイクロホンを正面から見た断面図であり、図２は側方から見た断面図である。
尚、図１、図２において、先に図３及び図４に示した従来の構成と同一の部材、若しくは相当する部材については同じ符号で示し、その詳細な説明は省略する。
【００１７】
図１、図２に示す本発明に係るコンデンサマイクロホン１は、サイドエントリー型のコンデンサマイクロホンであって、図３，図４に示した構成と同様にヘッドケース部１１と、前記ヘッドケース部１１を支持する胴部１２と、胴部１２の下端側に装着されるコネクタ部１３とを備える。
【００１８】
図示するコンデンサマイクロホン１は、図３、図４に示したコンデンサマイクロホン５０とは、ヘッドケース部１１内の構成のみが異なる。
ヘッドケース部１１内において、マイクロホンユニット１７が左右両側で上下に延びるステー１８によって垂直状態に支持され、収音軸が水平方向となるように配置されている。
【００１９】
マイクロホンユニット１７の下方には、回路基板１９のケース部材である円形ドーム状の第１リフレクタ部材２が、その凸曲面をマイクロホンユニット１７側に向けて配置されている。この第１リフレクタ部材２は、例えば、ポリカーボネートにより形成されている。
また、この第１リフレクタ部材２は前記のように円形ドーム状に形成されており、マイクロホンユニット１７の前方音響端子に特定の周波数で入力された音波の大きさに凹凸が生じないようになされている。
【００２０】
一方、マイクロホンユニット１７の上方には、前記第１リフレクタ部材２と同材質、同形状（即ち円形ドーム状）の第２リフレクタ部材３が、その凸曲面をマイクロホンユニット１７側（即ち下方）に向けて配置されている。
この第２リフレクタ部材３と前記第１リフレクタ部材２とは、マイクロホンユニット１７を挟んで対照対置（上下対称に配置）されており、これによりマイクロホンユニット１７の前後音響端子の垂直面内におけるシフトが生じないようになっている。
即ち、音源の周波数が変化してもマイクロホンユニット１７の前後音響端子の上下移動がないため、音源の周波数によって指向軸が変動することがない構成となされている。
【００２１】
以上のように、本発明に係る実施の形態によれば、回路基板１９を収容するケース部材である第１リフレクタ部材２がマイクロホンユニット１７に近接した状態であっても、マイクロホンユニット１７を挟んで、前記第１リフレクタ部材２と同形状の第２リフレクタ部材３が対称配置されている。
このため、マイクロホンユニット１７の前後音響端子が上下にシフトすることがなく、それにより、音源の周波数によって指向軸が変動するという従来の課題を解決することができる。
【００２２】
尚、前記実施の形態においては、第１リフレクタ部材２と第２リフレクタ部材３とが円形ドーム状に形成されているものとしたが、それらの形状は円形ドーム状に限定されるものではない。
例えば、円錐形など他の形状でもよく、いずれの形状であっても、第１リフレクタ部材２と第２リフレクタ部材３とが、その凸面をマイクロホンユニット１７側に向けられ、マイクロホンユニット１７を挟んで対称配置された構成であればよい。
【符号の説明】
【００２３】
１          コンデンサマイクロホン
２          第１リフレクタ部材
３          第２リフレクタ部材
１１          ヘッドケース部
１２          胴部
１３          コネクタ部
１７          マイクロホンユニット
１９          電子回路基板
【図１】
0005830413.tif 000002
【図２】
0005830413.tif 000003
【図３】
0005830413.tif 000004
【図４】
0005830413.tif 000005
【図５】
0005830413.tif 000006
【図６】
0005830413.tif 000007